(57)【要約】【課題】カートを使用する使用者の簡易な作業によって、不特定多数の使用者が握るカートのグリップ部の衛生上の問題を解消することが可能であっても、カートが使用されるショッピングセンター等でのランニングコストを低減することが可能なカートを提供する。【解決手段】このカートは、カートを動かすときに使用者が握るグリップ部６と、グリップ部６を覆うようにグリップ部６に取り付けられる紙等からなるグリップカバー７を固定するための固定機構８とを備えている。固定機構８は、板バネまたは線バネからなり一端側が支柱４に固定されるバネ部材１１と、バネ部材１１の他端側に固定される永久磁石１２と、グリップ部６に固定され永久磁石１２に吸着される軟磁性体１３とを備えている。このカートでは、永久磁石１２と軟磁性体１３との間にグリップカバー７の一部が挟まれることでグリップカバー７がグリップ部６に固定される。【選択図】図２
0003219136.tif 000002
【実用新案登録請求の範囲】
【請求項１】
荷物を運ぶためのカートにおいて、
前記カートを動かすときに使用者が握るグリップ部と、前記グリップ部を覆うように前記グリップ部に取り付けられる紙、布または樹脂からなるグリップカバーを固定するための固定機構とを備え、
前記固定機構は、板バネまたは線バネからなり一端側が前記カートに固定されるバネ部材を備えるとともに、前記バネ部材の他端側および前記グリップ部のいずれか一方に固定される永久磁石と、前記バネ部材の他端側および前記グリップ部のいずれか他方に固定され前記永久磁石に吸着される軟磁性体とを備えているか、または、前記バネ部材の他端側に固定される第１の永久磁石と、前記グリップ部に固定され前記第１の永久磁石を吸着する第２の永久磁石とを備えていることを特徴とするカート。
【請求項２】
前記固定機構は、前記バネ部材の他端側に固定されるつまみを備えることを特徴とする請求項１記載のカート。
【請求項３】
一対の支柱と、一対の前記支柱の上端同士を繋ぐとともに前記使用者の両手で握られる１個の前記グリップ部と、前記グリップ部に取り付けられるシート状の１枚の前記グリップカバーと、前記グリップ部の両端側のそれぞれで前記グリップカバーを固定するための２個の前記固定機構とを備えることを特徴とする請求項１または２記載のカート。
【請求項４】
一対の支柱と、一対の前記支柱のそれぞれの上端に繋がるとともに前記使用者の片手で握られる２個の前記グリップ部と、２個の前記グリップ部のそれぞれに取り付けられる袋状の２個の前記グリップカバーと、２個の前記グリップカバーのそれぞれを固定するための２個の前記固定機構とを備えることを特徴とする請求項１または２記載のカート。
【考案の詳細な説明】
【技術分野】
【０００１】
本考案は、ショッピングセンター等で荷物を運ぶために使用されるカートに関する。
【背景技術】
【０００２】
従来、不特定多数の買い物客が触れるショッピングカートのハンドルの衛生上の問題を解消するための手段として、ショッピングカートのハンドルに取り付けられるハンドルカバーが知られている（たとえば、特許文献１参照）。特許文献１に記載のハンドルカバーは、柔軟なシート状材料からなるカバー本体と、硬質の樹脂からなる略半円筒状の芯材とによって構成されている。あるいは、特許文献１に記載のハンドルカバーは、シート状材料からなるカバー本体のみによって構成されている。カバー本体は、紙、不織布または合成樹脂で形成されている。
【０００３】
特許文献１に記載のハンドルカバーがカバー本体と芯材とによって構成されている場合には、カバー本体に芯材が接合されており、カバー本体の、芯材が接合された部分は、ハンドルに仮装着される仮装着部となっている。また、特許文献１に記載のハンドルカバーがカバー本体のみによって構成されている場合には、カバー本体の一端側は、成形によって略Ｃ字状に形成された仮装着部となっており、仮装着部がハンドルに仮装着される。
【０００４】
特許文献１に記載のハンドルカバーの場合、ショッピングカートを使用する買い物客が、仮装着部をハンドルに嵌め込んだ後、仮装着部を回すと、ハンドルの全体がハンドルカバーによって覆われるとともに、ハンドルカバーがハンドルに取り付けられる。また、ハンドルに取り付けられてハンドルの全体を覆っているハンドルカバーの仮装着部を回した後、ハンドルから取り外せば、ハンドルカバーをハンドルから取り外すことができる。そのため、特許文献１に記載のハンドルカバーの着脱は比較的容易である。
【０００５】
また、特許文献１に記載のハンドルカバーがショッピングカートのハンドルに取り付けられると、買い物客は、ハンドルに直接触れることなく、ショッピングカートを使用することが可能になる。したがって、買い物客が、ハンドルに取り付けられているハンドルカバーを取り外すとともに、新しいハンドルカバーをハンドルに取り付けることで、不特定多数の買い物客が触れるショッピングカートのハンドルの衛生上の問題を解消することが可能になる。すなわち、特許文献１に記載のハンドルカバーを使用すれば、買い物客の簡易な作業によって、ショッピングカートのハンドルの衛生上の問題を解消することが可能になる。
【先行技術文献】
【特許文献】
【０００６】
【特許文献１】特開２０１１−１１５７４号公報
【考案の概要】
【考案が解決しようとする課題】
【０００７】
特許文献１に記載のハンドルカバーがカバー本体と芯材とによって構成されている場合、このハンドルカバーでは、芯材が必要になるため、ハンドルカバーのコストが高くなる。また、特許文献１に記載のハンドルカバーがカバー本体のみによって構成されている場合、このハンドルカバーでは、カバー本体の一端側を成形によって略Ｃ字状に形成する必要があるため、ハンドルカバーのコストが高くなる。特許文献１に記載のハンドルカバーは、買い物客によって次々に取り替えられて廃棄されるため、ハンドルカバーのコストが高いと、ハンドルカバーが使用されるショッピングセンターでは、ランニングコストが高くなる。
【０００８】
そこで、本考案の課題は、カートを使用する使用者の簡易な作業によって、不特定多数の使用者が握るカートのグリップ部の衛生上の問題を解消することが可能であっても、カートが使用されるショッピングセンター等でのランニングコストを低減することが可能なカートを提供することにある。
【課題を解決するための手段】
【０００９】
上記の課題を解決するため、本考案のカートは、荷物を運ぶためのカートにおいて、カートを動かすときに使用者が握るグリップ部と、グリップ部を覆うようにグリップ部に取り付けられる紙、布または樹脂からなるグリップカバーを固定するための固定機構とを備え、固定機構は、板バネまたは線バネからなり一端側がカートに固定されるバネ部材を備えるとともに、バネ部材の他端側およびグリップ部のいずれか一方に固定される永久磁石と、バネ部材の他端側およびグリップ部のいずれか他方に固定され永久磁石に吸着される軟磁性体とを備えているか、または、バネ部材の他端側に固定される第１の永久磁石と、グリップ部に固定され第１の永久磁石を吸着する第２の永久磁石とを備えていることを特徴とする。
【００１０】
本考案のカートでは、グリップ部を覆うようにグリップ部に取り付けられるグリップカバーを固定するための固定機構は、板バネまたは線バネからなり一端側がカートに固定されるバネ部材を備えるとともに、バネ部材の他端側およびグリップ部のいずれか一方に固定される永久磁石と、バネ部材の他端側およびグリップ部のいずれか他方に固定され永久磁石に吸着される軟磁性体とを備えているか、または、バネ部材の他端側に固定される第１の永久磁石と、グリップ部に固定され第１の永久磁石を吸着する第２の永久磁石とを備えている。
【００１１】
そのため、本考案では、永久磁石と軟磁性体との間、または、第１の永久磁石と第２の永久磁石との間にグリップカバーの一部を挟むことで、グリップカバーをグリップ部に固定することが可能になる。したがって、本考案では、カートの使用者は、グリップ部にグリップカバーを容易に着脱することが可能になる。また、本考案では、グリップカバーがグリップ部に取り付けられると、カートの使用者は、グリップ部に直接触れることなく、カートを使用することが可能になるため、使用者が、グリップ部に取り付けられているグリップカバーを取り外すとともに、新しいグリップカバーをグリップ部に取り付けることで、不特定多数の使用者が握るグリップ部の衛生上の問題を解消することが可能になる。このように、本考案では、カートを使用する使用者の簡易な作業によって、グリップ部の衛生上の問題を解消することが可能になる。
【００１２】
また、本考案では、永久磁石と軟磁性体との間の磁気的な吸引力、または、第１の永久磁石と第２の永久磁石との間の磁気的な吸引力を利用して、バネ部材の他端側とグリップ部との間にグリップカバーの一部を挟めば、グリップ部にグリップカバーを容易に固定することが可能になるため、グリップカバーが市販の安価なものであっても、グリップカバーをグリップ部に固定することが可能になる。すなわち、本考案では、グリップカバーとして市販の安価なものを使用することが可能になる。したがって、本考案では、カートが使用されるショッピングセンター等でのランニングコストを低減することが可能になる。
【００１３】
本考案において、固定機構は、バネ部材の他端側に固定されるつまみを備えることが好ましい。このように構成すると、カートの使用者は、つまみをつまんでバネ部材の他端側を移動させることが可能になるため、グリップ部に対するグリップカバーの着脱作業がより容易になる。
【００１４】
本考案において、カートは、たとえば、一対の支柱と、一対の支柱の上端同士を繋ぐとともに使用者の両手で握られる１個のグリップ部と、グリップ部に取り付けられるシート状の１枚のグリップカバーと、グリップ部の両端側のそれぞれでグリップカバーを固定するための２個の固定機構とを備えている。この場合には、グリップカバーがシート状に形成されているため、市販のより安価なグリップカバーを使用することが可能になる。
【００１５】
本考案において、カートは、一対の支柱と、一対の支柱のそれぞれの上端に繋がるとともに使用者の片手で握られる２個のグリップ部と、２個のグリップ部のそれぞれに取り付けられる袋状の２個のグリップカバーと、２個のグリップカバーのそれぞれを固定するための２個の固定機構とを備えていても良い。この場合には、使用者の片手に握られるグリップ部にシート状のグリップカバーが固定されている場合と比較して、グリップ部からグリップカバーが外れにくくなる。
【考案の効果】
【００１６】
以上のように、本考案のカートでは、カートを使用する使用者の簡易な作業によって、不特定多数の使用者が握るカートのグリップ部の衛生上の問題を解消することが可能であっても、カートが使用されるショッピングセンター等でのランニングコストを低減することが可能になる。
【図面の簡単な説明】
【００１７】
【図１】本考案の実施の形態にかかるカートの斜視図である。
【図２】図１に示すカートが有する固定機構の構成を説明するための図である。
【図３】図２のＥ部の拡大図である。
【図４】本発明の他の実施の形態にかかるグリップ部およびグリップカバーの構成を説明するための図である。
【考案を実施するための形態】
【００１８】
以下、図面を参照しながら、本考案の実施の形態を説明する。
【００１９】
（カートの構成）
図１は、本考案の実施の形態にかかるカート１の斜視図である。図２は、図１に示すカート１が有する固定機構８の構成を説明するための図である。図３は、図２のＥ部の拡大図である。
【００２０】
本形態のカート（手押し車）１は、ショッピングセンターで買い物客が荷物を運ぶために使用するショッピングカートである。カート１は、４個の車輪２を有するカート下部３と、カート下部３から立ち上がる一対の支柱４と、支柱４の上端側に取り付けられるかご５とを備えている。また、カート１は、カート１を動かすときに使用者（すなわち、買い物客）が握るグリップ部６と、グリップ部６を覆うようにグリップ部６に取り付けられるグリップカバー７を固定するための固定機構８とを備えている。なお、図１では、固定機構８の図示を省略している。
【００２１】
グリップ部６は、細長い円柱状に形成されている。また、グリップ部６は、樹脂で形成されている。あるいは、グリップ部６の径方向の中心部分は、金属で形成され、グリップ部６の外周面は、樹脂で形成されている。グリップ部６は、一対の支柱４の上端同士を繋いでおり、買い物客の両手で握られる。すなわち、カート１は、カート１の使用者の両手で握られる１個のグリップ部６を備えている。
【００２２】
グリップカバー７は、正方形または長方形のシート状に形成されている。また、グリップカバー７は、紙、布または柔軟な樹脂で形成されている。たとえば、グリップカバー７は、比較的大型のティッシュペーパーやウエットティッシュ、または、シート状の不織布、あるいは、除菌シートであり、市販品である。グリップ部６には、１枚のグリップカバー７が取り付けられる。グリップカバー７は、グリップ部６から垂れ下がるようにグリップ部６に掛けられる。グリップカバー７は、グリップ部６の長手方向において、グリップ部６の大半部分またはグリップ部６の全体を覆っている。なお、グリップカバー７は、グリップ部６に巻かれても良い。
【００２３】
固定機構８は、グリップ部６の両端側のそれぞれに配置されている。すなわち、カート１は、グリップ部６の両端側のそれぞれでグリップカバー７を固定するための２個の固定機構８を備えている。固定機構８は、板バネまたは線バネからなるバネ部材１１と、バネ部材１１に固定される永久磁石１２と、グリップ部６に固定される軟磁性体１３とを備えている。
【００２４】
バネ部材１１は、ステンレス鋼板等の金属板によって形成されている。具体的には、バネ部材１１は、平板状に形成される金属板の１箇所を緩やかに折り曲げることで形成されている。あるいは、バネ部材１１は、ステンレス鋼等の金属線によって形成されている。具体的には、バネ部材１１は、直線状に形成される金属線の１箇所を緩やかに折り曲げることで形成されている。バネ部材１１の一端側は、カート１に固定されている。具体的には、バネ部材１１の一端側は、支柱４に固定されている。なお、バネ部材１１の表面は、ゴムまたは柔軟な樹脂によって覆われていても良い。
【００２５】
バネ部材１１の一端側は、たとえば、略Ｃ形状に形成される固定部材に固定されており、固定部材の弾性変形を利用して固定部材を支柱４に嵌め込むことで、バネ部材１１の一端側が支柱４に固定されている。すなわち、バネ部材１１の一端側は、略Ｃ形状に形成される固定部材を介して支柱４に固定されている。また、バネ部材１１の一端側が略Ｃ形状に形成されており、バネ部材１１の一端側の弾性変形を利用してバネ部材１１の一端側を支柱４に嵌め込むことで、バネ部材１１の一端側が支柱４に固定されていても良い。
【００２６】
永久磁石１２は、たとえば、ネオジム磁石等の希土類磁石である。永久磁石１２は、バネ部材１１の他端側に固定されている。また、バネ部材１１の他端側には、つまみ１４が固定されている。すなわち、固定機構８は、バネ部材１１の他端側に固定されるつまみ１４を備えている。たとえば、バネ部材１１が板バネである場合、バネ部材１１は、バネ部材１１の他端側の一方の面がグリップ部６側を向くように配置されており、永久磁石１２は、バネ部材１１の他端側の一方の面に固定されている。また、つまみ１４は、バネ部材１１の他端側の他方の面に固定されている。
【００２７】
軟磁性体１３は、たとえば、平板状の鋼板をグリップ部６の外周面に巻き付けることで形成されており、円筒状に形成されている。軟磁性体１３は、バネ部材１１の他端側に固定される永久磁石１２に吸着される。すなわち、バネ部材１１の他端側に固定される永久磁石１２は、グリップ部６に固定される軟磁性体１３に吸着される。グリップ部６に取り付けられるグリップカバー７は、永久磁石１２と軟磁性体１３との間にグリップカバー７の一部が挟まれることでグリップ部６に固定される。
【００２８】
グリップカバー７は、カート１を使用する買い物客によってグリップ部６に対して着脱される。グリップカバー７をグリップ部６に取り付けるときには、買い物客は、つまみ１４をつまんで、軟磁性体１３から永久磁石１２が離れる方向へバネ部材１１を弾性変形させた状態（図２、図３の二点鎖線で示す状態）で、グリップカバー７がグリップ部６から垂れ下がるようにグリップカバー７をグリップ部６に掛ける。その後、永久磁石１２を軟磁性体１３に吸着させて、グリップカバー７を固定する。また、グリップ部６に取り付けられたグリップカバー７を取り外すときには、買い物客は、つまみ１４をつまんで、軟磁性体１３から永久磁石１２が離れる方向へバネ部材１１を弾性変形させて、グリップ部６に掛かっているグリップカバー７を取り外す。
【００２９】
（本形態の主な効果）
以上説明したように、本形態では、グリップ部６にグリップカバー７を固定するための固定機構８は、一端側が支柱４に固定されるバネ部材１１と、バネ部材１１の他端側に固定される永久磁石１２と、グリップ部６に固定される軟磁性体１３とを備えており、軟磁性体１３に吸着される永久磁石１２と軟磁性体１３との間にグリップカバー７の一部が挟まることで、グリップカバー７がグリップ部６に固定されている。そのため、本形態では、買い物客は、グリップ部６にグリップカバー７を容易に着脱することが可能になる。特に本形態では、バネ部材１１の他端側につまみ１４が固定されており、買い物客は、つまみ１４をつまんでバネ部材１１の他端側を移動させることが可能になるため、グリップ部６にグリップカバー７をより容易に着脱することが可能になる。
【００３０】
また、本形態では、グリップカバー７がグリップ部６に取り付けられると、買い物客は、グリップ部６に直接触れることなく、カート１を使用することが可能になるため、買い物客がグリップ部６に取り付けられているグリップカバー７を取り外すとともに、新しいグリップカバー７をグリップ部６に取り付けることで、不特定多数の買い物客が握るグリップ部６の衛生上の問題を解消することが可能になる。このように、本形態では、買い物客の簡易な作業によって、グリップ部６の衛生上の問題を解消することが可能になる。
【００３１】
本形態では、永久磁石１２と軟磁性体１３との間の磁気的な吸引力を利用して、バネ部材１１の他端側とグリップ部６との間にグリップカバー７の一部を挟めば、グリップ部６にグリップカバー７を固定することが可能になる。そのため、本形態では、グリップカバー７が市販の安価なものであっても、グリップカバー７をグリップ部６に容易に固定することが可能になる。すなわち、本形態では、グリップカバー７として市販の安価なものを使用することが可能になる。したがって、本形態では、カート１が使用されるショッピングセンターでのランニングコストを低減することが可能になる。
【００３２】
（他の実施の形態）
上述した形態において、軟磁性体１３がバネ部材１１の他端側に固定されるとともに、永久磁石１２がグリップ部６に固定されていても良い。また、上述した形態において、軟磁性体１３に代えて、第２の永久磁石がグリップ部６に固定されていても良い。この場合には、第２の永久磁石は、永久磁石１２を吸着する。また、この場合の永久磁石１２は、第１の永久磁石である。
【００３３】
上述した形態において、カート１は、一対の支柱４のそれぞれの上端に繋がるとともに買い物客の片手で握られる２個のグリップ部６を備えていても良い。この場合には、２個のグリップ部６のそれぞれに、袋状に形成されるグリップカバー１７が取り付けられる（図４参照）。グリップカバー１７は、グリップカバー７と同様に、紙、布または柔軟な樹脂で形成されている。グリップカバー１７は、袋状に形成されるグリップカバー１７の開口からグリップ部６がグリップカバー１７に挿入されるようにグリップ部６に取り付けられる。
【００３４】
また、この場合には、カート１は、２個のグリップカバー１７のそれぞれを固定するための２個の固定機構８を備えている。この場合には、買い物客の片手に握られるグリップ部６にシート状のグリップカバー７が固定されている場合と比較して、グリップ部６からグリップカバー１７が外れにくくなる。なお、買い物客の片手で握られる２個のグリップ部６のそれぞれにシート状のグリップカバー７が取り付けられていても良い。
【００３５】
上述した形態において、カート１は、ショッピングセンター以外の場所で使用されても良い。たとえば、カート１は、空港で使用されても良い。また、上述した形態において、バネ部材１１につまみ１４が固定されていなくても良い。
【符号の説明】
【００３６】
１  カート
４  支柱
６  グリップ部
７、１７  グリップカバー
８  固定機構
１１  バネ部材
１２  永久磁石
１３  軟磁性体
１４  つまみ
【図１】
0003219136.tif 000003
【図２】
0003219136.tif 000004
【図３】
0003219136.tif 000005
【図４】
0003219136.tif 000006